(57)【要約】      （修正有）【課題】通信網上での特定の会員に画像や映像等のコンテンツを閲覧してもらうと同時に、リアルショップで、来店した顧客、会員としての会員、従業員に対して様々な形態で還元する情報配信システムを提供する。【解決手段】インターネット等の通信網に接続されたサーバと、会員端末とを含み、前記サーバを介して画像や映像等のコンテンツを前記通信網に接続された前記会員端末に配布する情報配信システムにおいて、配布を希望する会員は、前記会員端末を介して個人情報を入力して会員登録をし、前記サーバは、会員登録をした会員に対して現実の店舗（リアルショップ）あるいは仮想店舗のコンテンツの閲覧等を促し、該会員端未が前記コンテンツを閲覧等をした利用情報を、会員情報ＤＢに登録されている会員情報と、加盟店ＤＢに登録されている加盟店情報とを関連付けて利用情報ＤＢに登録し、利用情報に基づいて利用顧客に対して換算ファイルを介して還元する。【選択図】図１
2004310336.tif 000002
【特許請求の範囲】
【請求項１】
インターネット等の通信網に接続されたサーバと、会員端末とを含み、前記サーバを介して画像や映像等のコンテンツを前記通信網に接続された前記会員端末に配布する情報配信システムにおいて、配布を希望する会員は、前記会員端末を介して個人情報を入力して会員登録をし、前記サーバは、会員登録をした会員に対して現実の店舗（リアルショップ）あるいは仮想店舗のコンテンツの閲覧等を促し、該会員端未が前記コンテンツを閲覧等をした利用情報を、会員情報ＤＢに登録されている会員情報と、加盟店ＤＢに登録されている加盟店情報とを関連付けて利用情報ＤＢに登録する利用情報登録手段と、利用情報に基づいて現実の店舗（リアルショップ）あるいは仮想店舗を利用する顧客に対して換算ファイルを介して還元する利用情報管理手段とを備えていることを特徴とする情報配信システム。
【請求項２】
前記利用情報管理手段は、会員に対して、利用情報、会員情報、加盟店情報にそれぞれ関連付けてポイトン情報をポイント情報ＤＢに蓄積することを特徴とする特許請求の範囲第１項に記載の情報配信システム。
【請求項３】
前記利用情報管理手段は、前記コンテンツに登場する加盟店の従業員やダンサー、歌手等に前記会員の閲覧に対応するポイントや対価等を付与して、従業員やダンサー、歌手等に還元することを特徴とする特許請求の範囲第１項に記載の情報配信システム。
【請求項４】
前記利用情報登録手段は、会員がコンテンツの閲覧等の時に、特定のコンテンツを選択した情報を登録し、選択情報に基づいて、特定のコンテンツに関係する現実の店舗（リアルショップ）あるいは仮想店舗に対して、換算区分と換算率を設定していることを特徴とする特許請求の範囲第１項に記載の情報配信システム。
【請求項５】
前記サーバは、少なくとも現実の店舗（リアルショップ）の加盟店端末に対してポイント交換可能な商品やサービスを示す交換情報ファイルを備えていることを特徴とする特許請求の範囲第１、２、３、４項のいずれかに記載の情報配信システム。
【発明の詳細な説明】
【０００１】
【発明の属する技術分野】
本発明は、画像や映像等のコンテンツを配信する情報配信システムに関する。
【０００２】
【従来の技術】
【０００３】
従来、インターネットで画像や映像等のコンテンツ（広告）配布する場合は、無料あるいは特定の会員が該当するホームページにアクセスして、閲覧している。
また、現実の店舗（リアルショップ）では、お客が店舗に足を運んで、歌やダンス等のショーやイベントを飲食等を楽しみながら閲覧することができる。
【０００４】
従来の画像や映像等のコンテンツの情報配信システムでは、配信して閲覧される画像や映像等のコンテンツは、自宅やホテル等の室内で閲覧するので、リアルショップではコンテンツを閲覧する顧客満足を現実の店舗（リアルショップ）では有効的に活用することができないという欠点があった。
【０００５】
【発明が解決しようとする課題】
本発明は以上のような従来の欠点に鑑み、通信網上での特定の会員に画像や映像等のコンテンツを閲覧してもらうと同時に、リアルショップで、来店した顧客、会員としての会員、従業員に対して様々な形態で還元することができる情報配信システムを提供する。
また、インターネット上での特定の会員に画像や映像等のコンテンツを閲覧してもらうと同時に、店内での安全性を効率よく確保することができる情報配信システムを提供する。
さらに、リアルショップで働く従業員の士気を高めることができる情報配信システムを提供する。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００７】
【課題を解決するための手段】
上記目的を達成するために、本発明はインターネット等の通信網に接続されたサーバと、会員端末とを含み、前記サーバを介して画像や映像等のコンテンツを前記通信網に接続された前記会員端末に配布する情報配信システムにおいて、配布を希望する会員は、前記会員端末を介して個人情報を入力して会員登録をし、前記サーバは、会員登録をした会員に対して現実の店舗（リアルショップ）あるいは仮想店舗のコンテンツの閲覧等を促し、該会員端未が前記コンテンツを閲覧等をした利用情報を、会員情報ＤＢに登録されている会員情報と、加盟店ＤＢに登録されている加盟店情報とを関連付けて利用情報ＤＢに登録する利用情報登録手段と、利用情報に基づいて現実の店舗（リアルショップ）あるいは仮想店舗を利用する顧客に対して換算ファイルを介して還元する利用情報管理手段とで情報配信システムを構成している。
【０００８】
【発明の実施の形態】
以下、図面に示す実施の形態により、本発明を詳細に説明する。
【０００９】
図１ないし図１３に示す本発明の第１実施の形態において、本発明の情報配信システムは、ショーパブ、クラブ等のダンサーや歌手等がショー等を行っている店内情報を配信する店舗としての加盟店１（リアルショップ）において、加盟店１内のイベントや雰囲気等を少なくとも１台のカメラ２で撮影して、インターネット等の通信網３に接続されたサーバ７を介して、撮影された画像や映像等のコンテンツ５を特定の会員６が閲覧できるとともに、前記会員６の登録数や閲覧回数、あるいはホームページのヒット回数に応じて、前記加盟店１での飲食代や入場料に反映される情報配信システムである。
なお、前記通信網３に接続でき、撮影データを通信網３に送信することができるカメラであれば、種類や形式は問わず、また、必要に応じて、複数台設けてもよい。
【００１０】
図１は本発明の情報配信システムにおけるリアルショップおよびインターネット上で閲覧できる画像や映像等のコンテンツの関係および商取引の概略図を示す。ここで「商取引」とは、経済主体間での財の商業的移転に関わる受発注間の物品、サービス、情報、金銭の交換を、インターネット技術を利用した電子媒体を通して行うことをいう。したがって、本発明は、ビジネス関連特許の一つであり、会員（会員端末：クライアント）、仲介者（サーバ）及び参加企業（加盟店端末：会員）を構成要件とする。
【００１１】
図１および図１０は、本発明のビジネス方法又は装置の概略図である。まず、これらの図を参照にして基本的な構成について説明する。７はサーバであり、本実施例は画像や映像等のコンテンツ５を管理、配信するコンテンツ管理センターである。  前記会員６は前記サーバ７からサービスや情報を得るために契約をした会員である。この会員６もコンピュータシステムから見るとクライアントであるが、説明の便宜上、会員と称する。
前記サーバ１、会員６および加盟店１は通信網３（例えばインターネット：ＮＥＴ）に接続している。
【００１２】
次に、前記サーバ７の機能について説明する。第１の機能は会員の情報を蓄積する機能である。これは会員端末８が、インターネット上の本システムに於いて、前記加盟店１が配信する画像や映像等のコンテンツ５を閲覧、イベントに参加した場合、会員情報、参加情報等を利用情報として取り扱い、加盟店が会員に対してポイント、または前記サーバ１が各会員の利用情報に対して付与したポイントを集計し、記憶手段１４に利用情報として逐一蓄積する。
【００１３】
第２は利用情報提供機能である。これは会員（閲覧者）が、インターネット上で本システムを利用してコンテンツ５を閲覧した場合、例えば、前記サーバ７に対する照会を条件として、または本システムで閲覧あるいは利用した場合を条件として前記記憶手段１４に記憶している利用情報を会員端末８あるいは加盟店端末１０の表示部に対して出力する。
【００１４】
第３は利用情報管理機能である。これは会員６が、インターネット上において、自己の有する利用情報を、現実の店舗（リアルショップ）における、コンテンツ５の中の特定の人物に対して交換あるいは付与する、すなわち、記憶手段１４に記憶している利用情報に基づいて換算ファイル１１に基づき、該当する利用情報をポイント換算して特定の人物に付与する。なお、特定の人物とは、コンテンツ５に映し出される従業員やタレント等である。
【００１５】
前記加盟店１としての現実の店舗（リアルショップ）は、本実施の形態では、加盟店１が本システムに参加しているものとする。また、本システムに参加希望の店舗は、所定の手続を経て加盟店となることができる。
【００１６】
次に本実施の形態の基本的な構成例を示す。図２は本発明を第１実施例のコンピュータシステム構成図である。特に図２を参照に前記サーバ７の構成を説明する。
【００１７】
１２は制御手段である。公知のように制御手段１２はＣＰＵ等から構成され、メインプログラム１３やデータベース化された記憶手段１４に基づき各部の制御を行う。また本実施の形態のようにビジネス方法・装置の発明では、データの転送、テーブルに基づく演算、データの一時的な格納等を行う。また、前記制御手段１２は、本実施の形態では前記記憶手段１４に前記換算ファイル１１を備えているので、会員の利用情報を所定のポイント等に換算して、従業員等の特定の人物に付与することができる。また、前記制御手段１２は入力制御手段１５及び出力制御手段１６を有する。この入力制御手段１５は前記通信網３を介して会員６あるいは加盟店側から受理した入力信号（データ）を制御する。一方、出力制御手段１６は会員６あるいは加盟店１に出力する出力信号を制御する。
【００１８】
前記メインプログラム１３と前記記憶手段１４は、説明の便宜上、区分けして図示してある。もちろん、該メインプログラム１３と記憶手段１４は同じ記憶領域に格納されていても良い。
前記メインプログラム１３は、前記制御手段１２において用いられる基本的なプログラムである。したがって、本システムを表示させるためのプログラム、検索条件により必要な情報を得るための検索用プログラム、その他の必要プログラムから構成されている。
【００１９】
前記記憶手段１４は、データベース化された複数個のファイルから構成されている。各ファイルは階層構造に格納されている。例えば上層は会員情報データベース、中層は加盟店情報データベース、下層は利用情報データベース等の如くである。
【００２０】
図２を参照に前記記憶手段の構成を説明する。本実施例の記憶手段の登録手段等には、会員情報登録手段１７、加盟店情報登録手段１８、利用情報登録手段１９、利用情報管理手段２０、換算手段２１、認証手段２２等である。
本発明では、認証手段を始めとし、これらの登録等の手段に基づいて色々なデータがデータベース化され、かつ、区分けされてデータベース管理手段（記憶手段）に格納されている。
【００２１】
前記会員情報登録手段１７は、例えば、会員６あるいは加盟店１からの情報提供に基づいて収集し、会員情報データベース２３に登録する機能を有する。また、加盟店情報登録手段１８は、加盟店１の登録情報を収集し、加盟店情報データベース２４に登録する機能を有する。また利用情報登録手段１９は、前記会員端末８がコンテンツ管理手段２５を介して加盟店１から配信される画像や映像等のコンテンツを閲覧した場合に於いて、それを利用情報として利用情報データベース２６に登録する機能を有する。利用情報管理手段２０は、会員毎に統合（集計）された利用情報を前記利用情報データベース２６に登録する機能を有する。
【００２２】
さらに、加盟店端末１０あるいは会員端末８が前記サーバ７にアクセスした場合は、加盟店独自の識別番号、ＩＤやカード会員ＩＤ等を認証する認証手段２２を備えている。
【００２３】
前記会員情報登録手段１７によって登録された会員６の情報を管理する会員情報ＤＢ２３は、図３に示すように、現実の店舗（リアルショップ）あるいは仮想店舗としての加盟店側が付与したＩＤ、パスワード、Ｅメールアドレス、氏名、性別、生年月日、自宅住所、自宅電話番号、勤務先や勤務先電話番号等の会員識別情報が登録されている。新規の会員を登録する場合には、加盟店がそれぞれ用意する会員申込書に所要事項を記入する。この場合は、前記会員申込書に記載されている会員情報を前記サーバにＦＡＸまたはメール等で送信する。また、図４に示すように、前記サーバ７が申込情報の入力を促す会員情報登録画面２７に必要な情報を入力し、その後に前記通信網３を介してサーバ７に送信し、入力されたデータが制御手段に送られてくるので、係る入力データを解析し、会員情報を取得する。
なお、入力ミスがあった場合には、「クリア」ボタン領域をクリックすることにより、一括して全ての入力データを消去し、最初からデータの入力ができるようになっている。また、この画面を用い、登録解除（「登録解除」ボタン領域のクリック），登録内容の修正（「登録修正」ボタン領域のクリック）も行えるようになっている。
また、上記の登録処理が済んだ会員６は、処理可能なメニューの一覧から、利用したい処理を選択できるようにする。すなわち、会員登録した内容を変更したり、会員登録自体を削除する場合には、「会員登録を変更したい、削除したい」をクリックする。さらに、人気のあるコンテンツを知りたい場合には、「人気ランキングを見たい」をクリックする。
【００２４】
前記コンテンツ管理手段２５は、図１０に示すように、会員６に向けて配信する動画情報を得るために、加盟店１内の撮影拠点に、デジタルビデオカメラ（以下、単に「カメラ」という）２ａ、２ｂ、２ｃ等が設置され、各カメラによって、常時あるいは所定時間に加盟店内において撮影が行われ、その画像や動画等のコンテンツ５の情報は、デジタル通信回線を介して前記サーバ７に逐次送信されるようになっている。送信されたコンテンツ５はコンテンツ管理ＤＢ２９に蓄積されながら、会員６の閲覧要求に対して、会員６の端末に配信することができる。なお、前記コンテンツ５は、制御手段１２、コンテンツ管理手段２５等を介して配信されるが、例えば、２０〜２００キロビット／秒の動画配信が可能なものが好適であり、例えばＭＰＥＧ４方式の動画配信機能を有している。
【００２５】
前記加盟店情報ＤＢ２４には、図５に示すように、前記サーバ７が割り当てた加盟店識別番号、加盟店ＩＤ、ＵＲＬ、加盟店名、住所、電話番号、ＦＡＸ番号等の加盟店情報が登録される。なお、参加希望の加盟店は、加盟店情報登録画面３０に必要な情報を入力し、その後に通信網を介してサーバに送信をする。
【００２６】
前記利用情報ＤＢ２６には、図７に示すように、前記会員６が加盟店１が配信するコンテンツ５を閲覧した場合に於いて、閲覧日、閲覧時間、サイト滞在時間等を含む利用情報が登録され、その利用情報を会員あるいは加盟店毎に統合（集計）して前記換算ファイル１１を介してポイントや対価に変換して前記利用情報データベース２６に蓄積する。
なお、ポイントや対価は、リアルショップとしての加盟店に来店した顧客の飲食代金から差し引いて、顧客に還元することができる。
【００２７】
前記換算ファイル１１は、換算テーブル３１を有し、この換算テーブル３１は集計専用に識別化した加盟店番号ｋ、コンテンツこどに区分けした換算区分ｅにそれぞれ設定されている。そして、前記換算区分ｅは、例えばコンテンツ別換算テーブルに関する換算区分のように設定されている。この場合、コンテンツ別換算テーブルは、利用情報ＤＢ２６の利用情報に対応し、加盟店番号、コンテンツコード、換算区分などが設定されている。
例えば、コンテンツ５を３種類有する加盟店１では、３種類のコンテンツ５の閲覧数（ヒット数）が１，０００人の場合、対価に変換すると１００分の１円、つまり１０円を現実の店舗（リアルショップ）を利用する顧客に対して還元することができる。この換算率は、各加盟店によって異なる値に設定されてもよく、本サーバの管理者が所定の値を決定してもよい。
【００２８】
上記構成に於いて、本システムの流れを説明する。
まず、本システムの前記会員６は、加盟店１、あるいは本システムの共通の所定申込書に所要事項を記入することによって新規会員になることができる。この会員６が、加盟店１が配信するコンテンツ５を閲覧した場合に、利用情報が会員情報とともに、通信網３を介してサーバ７に送信される。このサーバ７では受信した利用情報を、加盟店情報とを関連付けて利用情報ＤＢ２６に制御手段１２を介して格納する。この際、前記サーバ７は利用情報に基づいて加盟店１および会員６を認証手段２２等を介して認証する。
【００２９】
前記加盟店１内を撮影してコンテンツ５が作成されると同時に、このコンテンツ５はサーバ７のコンテンツ管理手段２５を介して、アクセスされた会員端末８の画面上に、選択されたコンテンツ５Ａがリアルタイムで映し出される。
なお、コンテンツ５の配信は加盟店１の開店している時間のみ行われので、閉店時間中は配信が中止されるが、その間は、例えば、図１１に示すように、加盟店に所属する従業員Ｘ、ダンサーＹ、タレントＺ等のプロフィールや情報等が公開されているので、それらの情報を閲覧したり、掲載されている従業員、タレント等のメールボックスを介してＥメールのやり取り等をすることができる。
また、会員登録をした会員６もコンテンツ５に登場することになる場合があり、会員の了承、あるいは会員の意志で会員のプロフィールや情報等を公開すること可能で、本システムを介して会員同志あるいは第３者の希望により、該会員を紹介することもできる。
【００３０】
前記サーバ７は、利用情報管理手段２０を介して、利用情報、会員情報、加盟店情報等に関連付けて蓄積された利用情報に基づいて、利用情報データベース２６に蓄積されたポイントを対価に変換して、例えば、飲食代が１，０００円であれば、１００円引き等の処理をして、現実の店舗（リアルショップ）を利用する顧客に対して還元する。
【００３１】
したがって、加盟店１が配信するコンテンツ５を閲覧あるいは利用する会員が増えれば増えるほど、リアルショップとしての加盟店に来店する顧客に対して還元することができる。
【００３２】
なお、本実施の形態では、コンテンツ５を配信する加盟店１は１店舗であるが、本発明はこれに限らず、図１３に示すように、複数の加盟店１、１Ａ、１Ｂ等のコンテンツ５を配信することもでき、同業者だけでなく、関連する業種の加盟店を募ってもよい。
【００３３】
【発明の異なる実施の形態】
次に、図１４ないし図２２に示す本発明の異なる実施の形態につき説明する。なお、これらの本発明の異なる実施の形態の説明に当って、前記本発明の第１の実施の形態と同一構成部分には同一符号を付して重複する説明を省略する。
【００３４】
図１４および図１５に示す本発明の第２の実施の形態において、前記本発明の第１の実施の形態と主に異なる点は、コンテンツ５を閲覧した会員６に対して、加盟店１等で使用することができるポイントを付与するポイント付与手段３２を用いた点で、会員情報、加盟店情報等を相互に利用し、利用情報との正誤を識別し、コンテンツ５に対して所定のポイントが付与されたポイントテーブル３３を介して、ポイント情報がポイント情報ＤＢ３４に更新登録される。このポイント情報は会員６が異なる加盟店１のコンテンツ５を閲覧、利用しても、氏名、生年月日、性別等の会員情報が一致しているので、ポイント数を管理取引することができる。
加盟店１が会員６にポイントを進呈する場合、コンテンツ５に相当する、あるいは加盟店１の所定のポイントが前記ポイント付与手段３２を介して会員に付与される。この付与されたポイントは、例えば、ポイントカード、あるいは会員端末８の表示画面、携帯電話機の画面等に表示することができるので、容易にポイント数を確認することができる。このサーバ７Ａは、加盟店１としての実際の店舗で利用をする会員６が、インターネット３上でコンテンツ５を閲覧した同一人であれば、ポイント数を飲食代の足しにしたり、サービス券に交換したりすることができる。
【００３５】
図１６ないし図１８に示す本発明の第３の実施の形態において、前記本発明の第２の実施の形態と主に異なる点は、コンテンツ５に登場する従業員ＸやダンサーＹ、歌い手等のタレントＺ等にポイントを付与して、従業員ＸやダンサーＹ、歌い手等のタレントＺ等に還元するポイント付与手段３２Ａを用いた点で、本実施例でのサーバ７Ｂには、従業員ＸやダンサーＹ、歌い手等のタレントＺ等に関するデータが画面に表示され、コンテンツ５を閲覧した会員６が気に入ったら、投票することができるようにする処理する投票手段３５を用いて、投票数に基づいてポイントや対価を決定する換算ファイル３６を介してポイントや対価に変換してポイント情報データベース３４Ａに蓄積する。この場合、従業員ＸやダンサーＹ、歌い手等のタレントＺ等は、自分のポイントを加盟店端末１０や個人で所有する情報端末からサーバ７Ｂにアクセスして確認することができる。
なお、前記獲得ポイントは、対価に変換され、個人の賞与に充当されてもよい。これは、加盟店で所定の還元率が決められていてもよいし、従業員ＸやダンサーＹ、歌い手等のタレントＺ等と加盟店側の話し合いでも構わない。
【００３６】
投票数が多い者は、当然ランキングが高くなる。つまり、閲覧され、投票が頻繁に行われるものは、市場価値が高く、人気の高いものといえる。
なお、このコンテンツ５の閲覧の場をビジネスとして利用する場合に、例えば、図１８に示すように、コンテンツ５に広告３７を付加し、該コンテンツ５を閲覧した会員は係る広告３７も一緒に閲覧することができる。そうすると、コンテンツ５を閲覧（見る）する度、会員端末のモニタ上に広告３７が表示されるようにすることにより広告宣伝効果を高めることができる。そして、各コンテンツは、予め広告を付す提供企業が決まっている場合もあるし、決まっていない場合もある。その場合は、コンテンツ閲覧の場への入場と同様にして、このコンテンツ５に広告３７を付加したい提供会社に会員になってもらい、広告掲載費等を徴収することができる。よって、提供企業にとっても、人気の高いコンテンツ５に広告３７を付したほうがよいので、人気ランキングは、コンテンツ５を選ぶ際の指針になる。なお、各コンテンツに対し１つの広告を付すことができるようにすると、広告３７できる会社の述べ数は、コンテンツ５の数になる。
なお、人気ランキングの高い従業員ＸやダンサーＹ、歌い手等のタレントＺ等には、例えば、プロフェッショナルのダンサーや歌手になるチャンスを与えることもでき、その活動の援助も本システムを通して可能である。
【００３７】
図１９および図２０に示す本発明の第４の実施の形態において、前記本発明の第２の実施の形態と主に異なる点は、加盟店端末１０、会員６のパーソナルコンピュータや携帯電話機、ＰＤＡ等の情報端末８に対して、あるいは加盟店端末１０から要望があった場合には、各会員６の蓄積中のポンイト情報の表示を促し、あるいは表示するポイント付与手段３２Ｂを用いた点で、このように構成されたサーバ７Ｃは、ポイント表示入力画面３８を選択し、所定事項を入力した後に認証されれば、対応する会員６のポイント数を表示するように処理することができる。
なお、会員６がポイントを利用した場合には、更新されたポイント情報をポイント情報ＤＢ３４に常時蓄積することができる。
【００３８】
図２１および図２２に示す本発明の第５の実施の形態において、前記本発明の第２の実施の形態と主に異なる点は、会員６に付与されるポイント数と交換することができる商品やサービス等の情報を登録しているポイント交換商品情報ＤＢ３９を用いた点で、このサーバ７Ｄのポイント交換商品情報ＤＢ３９には、ポイント交換ができる加盟店、商品、提供サービス等の情報が格納されており、会員は自己が有するポイントに合わせて交換できる加盟店、商品、提供サービス等を、加盟店１で直接、あるいはネット３上等で常時確認することができる。
【００３９】
なお、本発明の各実施の形態では、動画情報を得るために、所定の撮影拠点において、常時撮影するようにしたが、カメラによる撮影は、必ずしも常時フルに行う必要はなく、周期的に断続して撮影するようにしても差し支えはない。その場合、そのコンテンツを見ようとした顧客端末の表示画面には、「ただいま、映像中断中。１５分後に再開します。」や「しばらくお待ち下さい」等といった表示がなされるように設定することができる。
また、各実施の形態では、加盟店内等の所定の撮影拠点に設置されているカメラについて説明したが、本発明ではこれに限らず、安全性等に考慮し、加盟店の関連施設、例えば、待合室、控え室、出入口、宿泊部屋、居住空間等に設置されていてもよい。
【００４０】
【発明の効果】
以上の説明から明らかなように、本発明にあっては、次に列挙するような効果がある。
【００４１】
（１）インターネット等の通信網に接続されたサーバと、会員端末とを含み、前記サーバを介して画像や映像等のコンテンツを前記通信網に接続された前記会員端末に配布する情報配信システムにおいて、配布を希望する会員は、前記会員端末を介して個人情報を入力して会員登録をし、前記サーバは、会員登録をした会員に対して現実の店舗（リアルショップ）あるいは仮想店舗のコンテンツの閲覧等を促し、該会員端未が前記コンテンツを閲覧等をした利用情報を、会員情報ＤＢに登録されている会員情報と、加盟店ＤＢに登録されている加盟店情報とを関連付けて利用情報ＤＢに登録する利用情報登録手段と、利用情報に基づいて現実の店舗（リアルショップ）あるいは仮想店舗を利用する顧客に対して換算ファイルを介して還元する利用情報管理手段とからなるので、加盟店内等を撮影した画像や映像等のコンテンツを特定の会員に配信することができる。
したがって、特定の会員に画像や映像等のコンテンツを閲覧してもらうと同時に、閲覧によって発生するポイントや対価を、現実の店舗に来店した顧客、会員、従業員等に様々な形態で還元することができる。
【００４２】
（２）前記（１）によって、現実の店舗（リアルショップ）の顧客、ネット上の仮想店舗の会員、さらに両方共通の顧客という複数の顧客を結びつける形態を有することができるので、リアルショップと仮想店舗とを利用価値の高い状態で、結びつけることができる。
【００４３】
（３）前記（１）によって、会員が画像や映像等のコンテンツを閲覧しているので、店内での安全性を効率よく確保することができる。
【００４４】
（４）前記（１）によって、会員が画像や映像等のコンテンツを閲覧しているので、リアルショップで働く従業員等の士気を高めることができる。
【００４５】
（５）請求項２〜５も前記（１）〜（４）と同様な作用効果が得られる。
【図面の簡単な説明】
【図１】本発明の第１の実施の形態の概念図。
【図２】本発明の第１の実施の形態のデータベースの概略図。
【図３】本発明の第１の実施の形態の会員データベースの説明図。
【図４】本発明の第１の実施の形態の会員情報登録画面の説明図。
【図５】本発明の第１の実施の形態の加盟店情報データベースの説明図。
【図６】本発明の第１の実施の形態の加盟店情報登録画面の説明図。
【図７】本発明の第１の実施の形態の利用情報データベースの説明図。
【図８】本発明の第１の実施の形態の換算テーブルの参考図。
【図９】本発明の第１の実施の形態のシステム概略図。
【図１０】本発明の第１の実施の形態の加盟店内の参考図。
【図１１】本発明の第１の実施の形態の情報閲覧ウインドの参考図。
【図１２】本発明の第１の実施の形態のフロー図。
【図１３】本発明の第１の実施の形態の複数の加盟店の概念図。
【図１４】本発明の第２の実施の形態のシステム概略図。
【図１５】本発明の第２の実施の形態のデータベースの概略図。
【図１６】本発明の第３の実施の形態のシステム概略図。
【図１７】本発明の第３の実施の形態のデータベースの概略図。
【図１８】本発明の第３の実施の形態の閲覧画面の参考図。
【図１９】本発明の第４の実施の形態のデータベースの概略図。
【図２０】本発明の第４の実施の形態のポイント表示入力画面の参考図。
【図２１】本発明の第５の実施の形態のデータベースの概略図。
【図２２】本発明の第５の実施の形態のポイント交換商品情報データベースの説明図。
【符号の説明】
１：加盟店（リアルショップ）、      ２：カメラ、
３：通信網、                        ５：コンテンツ、
６：会員、                          ７、７Ａ〜７Ｄ：サーバ、
８：会員端末                        １０：加盟店端末、
１１：換算ファイル、                １２：制御手段、
１３：メインプログラム、            １４：記憶手段、
１５：入力制御手段、                １６：出力制御手段、
１７：会員情報登録手段、            １８：加盟店情報登録手段、
１９：利用情報登録手段、            ２０、２０Ａ：利用情報管理手段、
２１：換算手段、                    ２２：認証手段、
２３：会員情報データベース、        ２４：加盟店情報データベース、
２５：コンテンツ管理手段、          ２６：利用情報データベース、
２７：会員情報登録画面、            ２９：コンテンツ管理ＤＢ、
３０：加盟店情報登録画面、          ３１：換算テーブル、
３２、３２Ａ、３２Ｂ：ポイント付与手段、
３３：ポイントテーブル、            ３４、３４Ａ：ポイント情報ＤＢ、
３５：投票手段、                    ３６：換算ファイル、
３７：広告、                        ３８：ポイント表示入力画面、
３９：ポイント交換商品情報ＤＢ、    Ｘ：従業員、
Ｙ：ダンサー、                      Ｚ：歌い手等のタレント。
【図１】
2004310336.tif 000003
【図２】
2004310336.tif 000004
【図３】
2004310336.tif 000005
【図４】
2004310336.tif 000006
【図５】
2004310336.tif 000007
【図６】
2004310336.tif 000008
【図７】
2004310336.tif 000009
【図８】
2004310336.tif 000010
【図９】
2004310336.tif 000011
【図１０】
2004310336.tif 000012
【図１１】
2004310336.tif 000013
【図１２】
2004310336.tif 000014
【図１３】
2004310336.tif 000015
【図１４】
2004310336.tif 000016
【図１５】
2004310336.tif 000017
【図１６】
2004310336.tif 000018
【図１７】
2004310336.tif 000019
【図１８】
2004310336.tif 000020
【図１９】
2004310336.tif 000021
【図２０】
2004310336.tif 000022
【図２１】
2004310336.tif 000023
【図２２】
2004310336.tif 000024